(57)【要約】【課題】複数のデータの高密度記録かつ効率の良い再生を実現する。【解決手段】連続記録領域６０Ｂに対して、複数のデータを多重化して連続的に記録することにより、高密度記録が可能な連続記録領域への複数のデータの同時記録が可能であり、また、ランダム記録領域６０Ａに対して多重化の管理情報を記録することにより、当該多重化されたデータの管理情報に基づいて、多重化されたデータへのアクセス（データ再生）を簡易に行うことができる。これにより、複数のデータの高密度記録かつ効率の良い再生を実現することが可能である。【選択図】図２
2010049732.tif 000002
【特許請求の範囲】
【請求項１】
ランダム記録領域と連続記録領域とを備える記憶媒体への記録方式であって、
複数のデータを多重化して前記連続記録領域に連続的に記録し、
前記多重化の管理情報を前記ランダム記録領域に記録することを特徴とする記録方式。
【請求項２】
前記多重化は、前記連続記録領域に形成される分割セクタに、複数のデータを分割して割り当てることを特徴とする請求項１に記載の記録方式。
【請求項３】
前記管理情報は、前記連続記録領域に形成される分割セクタに、複数のデータが分割されて割り当てられた管理情報であることを特徴とする請求項１又は２に記載の記録方式。
【請求項４】
前記連続記録領域のトラックピッチは、前記ランダム記録領域のトラックピッチよりも狭いことを特徴とする請求項１〜３のいずれか一項に記載の記録方式。
【請求項５】
前記連続記録領域に記録された前記複数のデータを再度連続的に書き換える場合、当該書き換えるデータに対応する前記管理情報も更新して、前記ランダム記録領域に記録することを特徴とする請求項３に記載の記録方式。
【請求項６】
複数のデータが多重化されて連続的に記録される連続記録領域と、
前記多重化の情報が記録されるランダム記録領域と、を備える記憶媒体。
【請求項７】
複数のデータが多重化されて連続的に記録される連続記録領域と、前記多重化の情報が記録されるランダム記録領域と、を有する記憶媒体と、
前記記憶媒体に対する記録と再生を行う記録再生素子と、
前記記録再生素子からの信号を処理する信号処理基板と、を備える記憶装置。
【発明の詳細な説明】
【技術分野】
【０００１】
本発明は記録方式、記憶媒体及び記憶装置に関し、特にランダム記録領域と連続記録領域とを備える記憶媒体への記録方式、当該記録方式でのデータ記録に好適な記憶媒体及びこの記憶媒体を備える記憶装置に関する。
【背景技術】
【０００２】
磁気ディスク装置は、コンピュータシステムや各種電子装置の記憶装置として用いられる。このため、磁気ディスク装置に対しては記憶容量の増大という要求が常に存在している。
【０００３】
磁気ディスク装置の記憶容量を増加するには、磁気ディスク上の記録密度を増加させる必要がある。磁気ディスク上の記録密度を増加させるには、磁気ディスクの半径方向に関するトラック密度（ＴＰＩ：Track Per Inch）を増加させる方法と、トラック方向（ビット方向）の密度（ＢＰＩ：Bit Per Inch）を増加させる方法とがある。
【０００４】
このうち、トラック密度（ＴＰＩ）を増加させる方法としては、磁気ディスクに対してデータを常に一方向に（例えば外側から内側に）書き込む方法が提案されている。このように一方向からデータを書き込むことにより、トラックの両側にサイドイレーズ（書き広がり）のマージンをとっておく必要が無くなる（片側にのみマージンをとっておけば良い）ので、トラック密度を増加させることが可能となる。
【０００５】
また、最近では、大容量記録を実現するために、書き換え保証回数に基づいて記録媒体の記録密度を設定し、設定された記録密度で記録媒体に対して情報を記録する技術についても提案されている（例えば、特許文献１参照）。
【０００６】
【特許文献１】特開２００７−２５００５４号公報
【発明の開示】
【発明が解決しようとする課題】
【０００７】
ところで、上述した１方向からデータを書き込む磁気ディスク装置を、複数チューナを有するハードディスクレコーダに用いる場合、磁気ディスクに対する複数番組の同時記録（録画）が必要となる。
【０００８】
この場合、従来は、図８に示すように、磁気ディスク１４０上に２つのチューナＡ、Ｂに対応した記憶領域１５０Ａ，１５０Ｂをそれぞれ確保しておき、各記憶領域１５０Ａ，１５０Ｂにデータを記録していた。この記録において、チューナＡとチューナＢの番組が同時に放送されている状態では、一方の番組を磁気ディスクに記録するとともに、他方の番組をバッファに一時的に格納しておき、一方の番組の録画終了後に他方の番組を磁気ディスクに記録することとしていた。また、チューナＡ側の番組の録画時間が長時間となる場合を考慮して、磁気ディスク上の記憶領域１５０Ａ，１５０Ｂ間には、確保領域１６０を設けておく必要があった。
【０００９】
しかしながら、確保領域１６０は、実際に使用しない可能性があり、そのような確保領域１６０を予め用意しておくことは、磁気ディスクの記憶容量の低下を引き起こすおそれがある。また、記憶領域１５０Ａ又は１５０Ｂの全てを使用した場合には、新たな記憶領域を設定する必要があるが、新たな記憶領域の設定とともに新たな確保領域を用意する必要があり、これにより記憶容量の更なる低下が引き起こされるおそれがある。
【００１０】
そこで、本発明は上記課題に鑑みてなされたものであり、複数のデータの高密度記録かつ効率の良い再生が可能な記録方式、記憶媒体及び記憶装置を提供することを目的とする。
【課題を解決するための手段】
【００１１】
本明細書記載の記録方式は、ランダム記録領域と連続記録領域とを備える記憶媒体への記録方式であって、複数のデータを多重化して前記連続記録領域に連続的に記録し、前記多重化の管理情報を前記ランダム記録領域に記録するものである。
【００１２】
これによれば、連続記録領域に対して、複数のデータを多重化して連続的に記録することにより、高密度記録が可能な連続記録領域に複数のデータを同時記録することが可能であり、また、ランダム記録領域に対して多重化の管理情報を記録することにより、多重化されたデータの管理情報に基づいて、多重化されたデータへのアクセス（データ再生）を簡易に行うことができる。これにより、複数のデータの高密度記録かつ効率の良い再生が可能となる。
【００１３】
本明細書記載の記憶媒体は、複数のデータが多重化されて連続的に記録される連続記録領域と、前記多重化の情報が記録されるランダム記録領域と、を備えている。
【００１４】
これによれば、連続記録領域に対して、複数のデータを多重化して連続的に記録することにより、高密度記録が可能な連続記録領域に複数のデータを同時記録することが可能であり、また、ランダム記録領域に対して多重化の管理情報を記録することにより、多重化されたデータの管理情報に基づいて、データへのアクセス（データ再生）を簡易に行うことができる。これにより、複数のデータの高密度記録かつ効率の良い再生が可能となる。
【００１５】
本明細書記載の記憶装置は、複数のデータが多重化されて連続的に記録される連続記録領域と、前記多重化の情報が記録されるランダム記録領域と、を有する記憶媒体と、前記記憶媒体に対する記録と再生を行う記録再生素子と、前記記録再生素子からの信号を処理する信号処理基板と、を備えている。
【００１６】
これによれば、連続記録領域に対して、記録再生素子により複数のデータを多重化して連続的に記録することで、高密度記録が可能な連続記録領域に複数のデータを同時記録することが可能であり、また、ランダム記録領域に対して記録再生素子により多重化の管理情報を記録することで、多重化されたデータの管理情報に基づいて、データへのアクセス及び信号処理基板によるデータ処理（データ再生）を簡易に行うことができる。これにより、複数のデータの高密度記録かつ効率の良い再生を実現することが可能となる。
【発明の効果】
【００１７】
本明細書に記載の記録方式、記憶媒体及び記憶装置は、複数のデータの高密度記録かつ効率の良い再生ができるという効果を奏する。
【発明を実施するための最良の形態】
【００１８】
以下、本発明の記録方式、記憶媒体及び記憶装置の一実施形態について図１〜図７に基づいて詳細に説明する。
【００１９】
図１には、記憶装置としてのハードディスクレコーダ１００がブロック図にて示されている。この図１に示すように、ハードディスクレコーダ１００は、第１チューナ１０Ａ及び第２チューナ１０Ｂと、第１受信バッファ１２Ａ及び第２受信バッファ１２Ｂと、マルチプレクサ１４と、ライトバッファ１６と、テーブルバッファ（ＴＢＬバッファ）１８と、信号処理基板としてのハードディスク記録再生制御部３０と、ディスクエンクロージャ３２と、これら各部を統括制御する制御装置２０と、を備えている。
【００２０】
第１チューナ１０Ａ及び第２チューナ１０Ｂとしては、例えば、地上デジタルチューナ、地上アナログチューナ、ＢＳデジタルチューナ、１１０°ＣＳデジタルチューナのうちのいずれか、あるいは任意の組み合わせを採用することができる。この第１チューナ１０Ａ及び第２チューナ１０Ｂは、制御装置２０の指示の下、ユーザ等が指定した番組（title）を受信する。
【００２１】
第１受信バッファ１２Ａ及び第２受信バッファ１２Ｂは、第１チューナ１０Ａ及び第２チューナ１０Ｂに対応しており、各チューナから送信される番組データをバッファリング（一時的に格納）する機能を有している。これら第１受信バッファ１２Ａ及び第２受信バッファ１２Ｂのバッファサイズは、書き込み単位に依存する。例えば書き込み単位が２４Ｍｂｐｓで１秒ごと、というのであれば、バッファサイズは３ＭＢ／ｓとなる。
【００２２】
マルチプレクサ１４は、第１、第２受信バッファ１２Ａ，１２Ｂからの入力信号を受信して、制御装置２０の指示の下、入力信号を直列化する。本実施形態では、２つのチューナからの番組を多重するので、マルチプレクサ１４は、入力の２倍の速さで動作する必要がある。
【００２３】
ライトバッファ１６は、制御装置２０の指示の下、マルチプレクサ１４から入力された信号をバッファリング（一時的に格納）する機能を有している。本実施形態では、上記マルチプレクサ１４と同様、入力の２倍の速さで動作する必要がある。
【００２４】
ＴＢＬバッファ１８は、制御装置２０で生成された番組データの管理情報（テーブル）をバッファリング（一時的に格納）する機能を有している。このＴＢＬバッファ１８に格納されるデータの記録情報(テーブル)の詳細な内容については後述する。
【００２５】
ハードディスク記録再生制御部３０は、不図示ではあるが、ハードディスクコントローラ（ＨＤＣ）、リードチャネル（ＲＤＣ）、モータドライバ等を有している。
【００２６】
ディスクエンクロージャ３２は、ヘッドＩＣ３４、記録再生素子（ヘッド）３６、記憶媒体としての磁気ディスク４０（図２参照）等を含んでいる。このディスクエンクロージャ３２では、ライトバッファ１６又はＴＢＬバッファ１８からの信号（データ）を、ハードディスク記録再生制御部３０を介してヘッドＩＣ３４にて受信する。そして、ヘッドＩＣ３４は、受信した信号（データ）をヘッド３６を介して磁気ディスク４０の所定位置に記録する。
【００２７】
一方、データの読み出し（再生）の際には、制御装置２０からの指示に応じて、ヘッドＩＣ３４が記録再生素子（ヘッド）３６を介して磁気ディスク４０の所定位置から信号を読み出す。そして、ヘッドＩＣ３４は、ハードディスク記録再生制御部３０に読み出した信号を送信し、ハードディスク記録再生制御部３０では、当該信号を処理し、不図示のモニタ等に画像（映像）を出力する。
【００２８】
次に、本実施形態における、磁気ディスク４０に対するデータの記録方法について図２に基づいて説明する。
【００２９】
本実施形態の磁気ディスク４０は、図２に示すように、最外周の領域６０Ａと、中心部を含む領域６０Ｂとに分割されている。このうち、最外周の領域６０Ａは、ランダムかつ複数回記録可能なランダム記録領域とされている。以下においては、当該領域を「ランダム記録領域６０Ａ」と呼ぶものとする。また、中心部を含む領域６０Ｂは、一方向からの連続記録が可能な連続記録領域とされている。以下においては、当該領域を「連続記録領域６０Ｂ」と呼ぶものとする。また、本実施形態の磁気ディスク４０では、連続記録領域６０Ｂにおいて、従来のようにチューナごとに記録領域を分割して（別々に）設定しないこととし、第１チューナ１０Ａの番組（title）と第２チューナ１０Ｂの番組（title）とを同時記録（録画）する場合には、２番組を一方向書きで多重記録（交互に記録）することとしている。すなわち、２番組を、磁気ディスク４０の連続記録領域６０Ｂに形成される分割セクタに、分割して割り当てることとする。
【００３０】
次に、図２の上図に示すようなタイミングで番組（title）を記録する場合の処理の概要について、図３、図４に基づいて説明する。
【００３１】
なお、本例では、図２に示すように、第１チューナ１０Ａ側で、title１、title２を続けて記録（録画）するのに対し、第２チューナ１０Ｂ側では、第１チューナ１０Ａ側のtitle２の記録と並行して、title３の全部及びtitle４の一部を記録することとしている。また、上記記録順序等については、ユーザによる録画予約作業により予め設定されているものとする。
【００３２】
ここで、図３は、制御装置２０からの指示と、当該指示の内容、及び各チューナ１０Ａ，１０Ｂ、各バッファ１２Ａ，１２Ｂ、１６の処理内容を、時刻ごとに示す表である。この図３に含まれる項目のうち、「時刻」は、単位時間を表している。この単位時間は、例えば、最大２セクタ（２ＬＢＡ）分の受信／書き込みを１単位とした時間である。また、各時刻における上段部分（白枠部分）は、第１チューナ１０Ａに関連した指示・処理内容を示し、下段部分（ハッチングを付した枠部分）は、第２チューナ１０Ｂに関連した指示・処理内容を示す。また、「指示」は、制御装置２０から出される指示の種別（記録開始指示ｓと記録終了指示ｗ）、「TBL ADS」は指示（ｓ、ｗ）の組み合わせごとに割り振られるテーブルアドレス、「TITL」は記録される番組のタイトル、「Start LBA」は、記録を開始するＬＢＡ（セクタ）、「End LBA」は、記録を終了するＬＢＡ（セクタ）を示す。更に、「MPX」は、多重化しているか否か、及び多重化しているならば何重になっているかを示し、「LINK」は、あるテーブルアドレスの処理が終了した後、続けて行われる処理があるか、及びある場合にはそのテーブルアドレスの数字を示す。
【００３３】
（時刻０〜時刻４について）
本時刻では、第１チューナ１０Ａを用いて番組title１を受信して、当該title１を記録（録画）するための処理を実行する。
【００３４】
この場合、図３に示すように、第１受信バッファ１２Ａ及びライトバッファ１６には、title１が書き込み単位ごとにバッファリングされ（１−０，１−１，１−２，１−３，１−４）、ハードディスク記録再生制御部３０、ディスクエンクロージャ３２を介して、磁気ディスク４０の連続記録領域６０Ｂに一方向書きでtitle１が連続的に記録される。この場合、記録終了指示（ｗ０）におけるStart LBAが「０」で、END LBAが「４」であるので、title１は、ＬＢＡ「０」〜ＬＢＡ「４」までの範囲に連続的に記録されるようになっている（ＬＢＡと記録されたtitle名との関係を示す図４の区間Ａ参照）。
【００３５】
（時刻５〜時刻６について）
本時刻では、第１チューナ１０Ａを用いたtitle２（２ＬＢＡ分）の記録と第２チューナ１０Ｂを用いたtitle３（２ＬＢＡ分）の記録とが、多重化されて行われる。
【００３６】
この場合、２つの番組title２とtitle３とが、磁気ディスク４０の連続記録領域６０ＢのＬＢＡ「５」〜ＬＢＡ「８」に対して、ＬＢＡ１つ分ずつ交互に１方向書きで記録（多重記録）される（図３のライトバッファ（２−０，３−０，２−１，３−１）及び図４の区間Ｂ参照）。なお、マルチプレクサ１４及びライトバッファ１６は、上述したように入力の２倍の速さで動作可能であるので、このような多重記録が実現可能である。
【００３７】
（時刻７〜時刻８について）
本時刻では、第１チューナ１０Ａを用いたtitle２（２ＬＢＡ分）のみの記録を行う。この場合、上記と異なり多重記録ではないので、磁気ディスク４０の連続記録領域６０ＢのＬＢＡ「９」、「１０」に対してtitle２が一方向書きで連続的に記録される（図４の区間Ｃ参照）。
【００３８】
（時刻９〜時刻１０について）
本時刻では、第１チューナ１０Ａを用いたtitle２（２ＬＢＡ分）の記録と第２チューナ１０Ｂを用いたtitle４（２ＬＢＡ分）の記録とが、多重化されて行われる。
【００３９】
この場合、２つの番組title２とtitle４とが、磁気ディスク４０の連続記録領域６０ＢのＬＢＡ「１１」〜「１４」に対して、ＬＢＡ１つ分ごとに交互に１方向書きで記録される（図３のライトバッファ（２−４，４−０，２−５，４−１）及び図４の区間Ｄ参照）。
【００４０】
（時刻１１〜時刻１２について）
本時刻では、第２チューナ１０Ｂを用いたtitle４（２ＬＢＡ分）のみの記録を行う。この場合、多重記録ではないので、title４が、磁気ディスク４０の連続記録領域６０ＢのＬＢＡ「１４」、「１５」に対して、一方向書きで連続的に記録される（図４の区間Ｅ参照）。
【００４１】
次に、上記図３、図４の処理を行っている間に生成される管理情報（テーブル）について図５に基づいて説明する。
【００４２】
この図５に示す管理情報（テーブル）は、磁気ディスク４０の連続記録領域６０Ｂに形成される分割セクタに割り当てられた複数の番組（データ）の管理情報である。具体的には、図５の管理情報（テーブル）は、上述した図３、図４の処理において記録終了指示ｗ０〜ｗ６が出力された際の「TBL ADS」、「TITL」、「Start LBA」、「End LBA」、「MPX」、「LINK」の項目を抽出して纏めたものである。
【００４３】
この図５のテーブルの内容は、制御装置２０の指示の下、ＴＢＬバッファ１８を介して、磁気ディスク４０のランダム記録領域６０Ａにテーブルアドレスごとに書き込まれる（更新される）。
【００４４】
次に、制御装置２０による、図３、図４の処理及び図５の管理情報（テーブル）を磁気ディスク４０に書き込む処理、の具体的な流れについて、図６のフローチャートに沿って説明する。なお、以下の処理は、基本的には、制御装置２０が行うものであるので、特に必要な場合を除いて、処理の主体に関する記載を省略するものとする。
【００４５】
図６のフローチャートは、制御装置２０が録画予約状況を確認して、時刻０において、各部（１０Ａ、１２Ａ，１４，１６，３０）に記録開始指示を出した時点から開始される。
【００４６】
まず、ステップＳ１０では、記録状況に変更があったか否かを判断する。ここで、記録状況の変更とは、記録開始指示及び記録終了指示が出された場合を意味する。
【００４７】
この場合、時刻０においてtitle１の記録開始指示（ｓ０）が出されているので、ステップＳ１０の判断は肯定されて、ステップＳ１２に移行する。
【００４８】
ステップＳ１２では、チューナを設定するとともに、受信バッファの設定及びＴＢＬ情報の更新を行う。時刻０の段階では、第１チューナ１０Ａを番組title１に設定するとともに、これに応じた受信バッファの設定を行う。なお、ＴＢＬ情報（管理情報）は、上述したように記録終了指示（ｗ）に対応しているので、ＴＢＬ情報の更新は、記録開始指示（ｓ）のときには行われない。
【００４９】
上記のようにしてステップＳ１２が終了すると、ステップＳ１４に移行して、多重があるか否かを判断する。この時刻０の段階では多重は無いので、判断は否定され、ステップＳ１８に移行する。
【００５０】
ステップＳ１８では、テーブル書き込みが必要か否かを判断する。この場合において、テーブル書き込みが必要な場合とは、記録終了指示（ｗ０〜ｗ６のいずれか）が出された場合である。この段階では記録終了指示は出されていないので、ステップＳ１８の判断が否定され、ステップＳ２２に移行する。
【００５１】
そして、ステップＳ２２では、ライトバッファ１６にバッファリングされているデータをハードディスク記録再生制御部３０及びディスクエンクロージャ３２を介して磁気ディスク４０に書き込むよう指示を出す。
【００５２】
その後、磁気ディスク４０に対してデータが書き込まれた段階で、ステップＳ２４に移行し、ステップＳ２４において全工程終了か否かを判断する。この場合、録画予約状況を参照すれば、処理を続行する必要があると判断されるので、ステップＳ２４の判断は否定され、ステップＳ１０に戻る。
【００５３】
次いで、時刻１の段階で、上記と同様の処理・判断を実行する。この場合、記録状況の変更がなく、多重もなく、テーブル書き込みの必要も無いので、ステップＳ２２におけるデータの書き込み指示のみを実行して、ステップＳ１０に戻る。その後、時刻３までは、上記処理を繰り返す。
【００５４】
これに対し、時刻４の段階では、制御装置２０から記録終了指示（ｗ０）が出されることから、ステップＳ１０の判断が肯定される。この場合、ステップＳ１２において、第１チューナ１０Ａ、第１受信バッファ１２Ａの設定を行うとともに、ＴＢＬ情報（管理情報）の、TBL ADS「０」（図５参照）を更新する。また、時刻４では、ステップＳ１８の判断も肯定される。この場合、制御装置２０は、ステップＳ２０において、ＴＢＬ情報（管理情報）の書き込み指示をＴＢＬバッファ１８、ハードディスク記録再生制御部３０に出力する。これにより、ＴＢＬ情報（TBL ADS「０」の情報）が磁気ディスク４０のランダム記録領域６０Ａに記録される。その後、ステップＳ２２において、title１が記録された後、ステップＳ１０に戻る。
【００５５】
次いで、時刻５では、title２とtitle３の記録開始指示ｓ１、ｓ２が出され、記録状況が変更されるので、ステップＳ１０の判断が肯定される。この場合、ステップＳ１２（各チューナ１０Ａ，１０Ｂ、各受信バッファ１２Ａ，１２Ｂの設定）を経て、ステップＳ１４に移行する。
【００５６】
このステップＳ１４では、多重があるか否かを判断する。ここでは番組title２とtitle３の２番組を録画しようとしていることから、判断は肯定されて、ステップＳ１６に移行する。このステップＳ１６では、title２とtitle３とがＬＢＡ１つ分ごとに交互に書き込まれるように、マルチプレクサ１４の設定を行う。そして、ステップＳ１８の判断（ここでは否定される）を経て、ステップＳ２２において、磁気ディスク４０の連続記録領域６０Ｂにtitle２、title４を１方向書きで多重記録するよう指示を出す。
【００５７】
その後、ステップＳ２４の判断が否定されると、ステップＳ１０に戻る。
【００５８】
次いで、時刻６では、title２とtitle３の記録終了指示ｗ１、ｗ２が出され、記録状況が変更されているので、ステップＳ１０の判断が肯定される。この場合、ステップＳ１２（各チューナ１０Ａ，１０Ｂ、各受信バッファ１２Ａ，１２Ｂの設定）を経て、ステップＳ１４に移行する。
【００５９】
ステップＳ１４では、多重があるか否かを判断するが、ここでもまだ番組title２とtitle３の２番組を記録（録画）しようとしていることから、判断は肯定されて、ステップＳ１６に移行する。そして、ステップＳ１６では、title２とtitle３とがＬＢＡ１つ分ごとに交互に書き込まれるようにマルチプレクサ１４を設定する。その後、ステップＳ１８の判断が肯定されると、ステップＳ２０では、ＴＢＬ情報（管理情報）の書き込み指示をＴＢＬバッファ１８、ハードディスク記録再生制御部３０に対して出力する。これにより、新たなＴＢＬ情報（TBL ADSが「１」及び「２」の情報）が磁気ディスク４０のランダム記録領域６０Ａに記録される。
【００６０】
そして、ステップＳ２２では、時刻５の場合と同様、磁気ディスク４０にtitle２、title４を１方向書きで多重記録するよう指示を出し、次のステップＳ２４の判断が否定されると、ステップＳ１０に戻る。
【００６１】
以上のような処理が繰り返され、録画予約が入っている時刻１２までの処理が完了すると、ステップＳ２４の判断が肯定されて、図６の全処理が終了する。
【００６２】
このように図６の処理を経ることにより、図２の連続記録領域６０Ｂの各ＬＢＡには、図４に示すようなデータが連続的に多重化されて書き込まれるとともに、図２のランダム記録領域６０Ａには、図５のような管理情報（テーブル）が書き込まれるようになっている。
【００６３】
なお、磁気ディスク４０の連続記録領域６０Ｂに記録された番組データを再度連続的に書き換える場合には、図６の処理が再度実行される。したがって、当該書き換えの際には、書き換えるデータに対応する管理情報（テーブル）も更新されて、ランダム記録領域６０Ａに再度書き込まれることになる。
【００６４】
次に、上記のようにして磁気ディスク４０に記録された番組（title）を読み出す（再生する）場合の処理について、図７のフローチャートに沿って説明する。なお、この図７の処理も、図６の処理と同様、制御装置２０により実行されるものである。したがって、以下においては、処理の主体についての記載は、特に必要な場合を除いて省略するものとする。
【００６５】
ユーザ等から、titleが指定されて再生指示が出されると、ステップＳ５０において、磁気ディスク４０のランダム記録領域６０Ａに書き込まれているテーブルを読み出すとともに、指定されたtitleに基づいて「Start LBA」の設定を行う。例えば、ユーザからtitle２の再生指示が出されていた場合には、制御装置２０は、図５のテーブルの中からtitle２の部分のみを抽出して、再生を行う「Start LBA」を設定する。ここでは、図５に含まれるtitle２のStart LBAのうち最小のもの（TBL ADSが「１」の場合におけるStart LBA「５」）が設定される。
【００６６】
次のステップＳ５２では、図５のテーブルの「MPX」の項目に基づいてtitle２に多重があるか否かを判断する。ここでは、TBL ADS「１」のMPXが「２」となっており、多重が存在することから、ここでの判断は肯定されて、ステップＳ５４に移行する。
【００６７】
次いで、ステップＳ５４では、読み飛ばしセクタ数を設定する。ここでは、TBL ADS「１」のStart LBA「５」〜End LBA「７」を１つ飛ばしで（ＬＢＡ「６」を飛ばして）読むように設定する。
【００６８】
次いで、ステップＳ５６では、セクタ読み出し（ＬＢＡ「５」に対応するセクタからのデータの読み出し）を行うよう指示を出し、次のステップＳ５８に移行する。ステップＳ５８では、End LBAであるか否かを判断するが、ここでは、まだEnd LBA「７」に達していないので、判断は否定され、ステップＳ５６に戻る。そして、ステップＳ５６では、ＬＢＡを１つ飛ばして、ＬＢＡ「７」に対応するセクタからのデータの読み出しを行うよう、指示を出す。
【００６９】
次のステップＳ５８では、End LBAであるか否かを判断するが、ここでは、読み出したＬＢＡが７であり、End LBA「７」と一致するので、判断は肯定され、次のステップＳ６０に移行する。
【００７０】
次のステップＳ６０では、LINKがあるか否か判断する。この場合、図５のテーブルのTBL ADS「１」のLINKは「３」となっているので、判断は肯定されて、ステップＳ５０に戻る。
【００７１】
次いで、ステップＳ５０では、TBL ADS「３」の内容で、上記と同様にしてデータの読み出しを実行する。ただし、図５のテーブのTBL ADS「３」では、MPXが「０」となっているので、このような場合には、読み飛ばしセクタを設定せずに、Start LBA「９」からEnd LBA「１０」までの全ＬＢＡのデータを読み出すように指示を出す（ステップＳ５６）。
【００７２】
そして、ステップＳ６０では、LINKがあるか否か判断するが、この場合も、図５のテーブルのTBL ADS「３」のLINKは「４」となっているので、判断は肯定されて、ステップＳ５０に戻る。
【００７３】
次いで、ステップＳ５０では、TBL ADS「４」の内容で、上記と同様にしてデータの読み出しを実行する。この場合、図５のテーブルのTBL ADS「４」では、MPXが「２」となっているので、読み飛ばしセクタを設定して、Start LBA「１１」からEnd LBA「１３」までのＬＢＡを１つ飛ばしで読み出すように指示を出す。上記のように１つ飛ばしでの読み出しが完了すると、ステップＳ６０では、LINKがあるか否か判断するが、この場合、図５のテーブルのTBL ADS「４」のLINKが「０」となっており、LINKは無いことから、判断は否定され、図７の全処理を終了する。
【００７４】
以上のような読み出し処理を実行することにより、上述したように磁気ディスク４０の連続記録領域６０Ｂに１方向書きで多重記録したデータに対して簡易にアクセスすることが可能である。
【００７５】
以上、詳細に説明したように、本実施形態によると、連続記録領域６０Ｂに対して、複数のデータを多重化して連続的に記録することにより、高密度記録が可能な連続記録領域６０Ｂへの複数のデータの同時記録が可能であり、また、ランダム記録領域６０Ａに対して多重化の管理情報（図５参照）を記録することにより、当該多重化されたデータの管理情報に基づいて、多重化されたデータへのアクセス（データ再生）を簡易に行うことができる。これにより、複数のデータの高密度記録かつ効率の良い再生が可能である。
【００７６】
また、本実施形態では、多重化を、連続記録領域６０Ｂに形成される分割セクタに、複数のデータを分割して割り当てることにより実現するので、従来のように、チューナごとに記録領域を設け、かつ各記録領域間に確保領域を設けるような場合と比較して、記憶容量の増加が期待できる。
【００７７】
また、本実施形態では、図５の管理情報（テーブル）が、連続記録領域６０Ｂに形成される分割セクタに割り当てられた複数の番組の管理情報であるので、当該管理情報を参照することにより、読み出す番組が割り当てられた分割セクタを簡易に特定する（追跡する）ことが可能である。
【００７８】
また、本実施形態では、連続記録領域６０Ｂを１方向書きとしていることから、トラックの片側についてのサイドイレーズのみを考慮してトラックピッチを決定することができる。これにより、連続記録領域６０Ｂのトラックピッチをランダム記録領域６０Ａのトラックピッチよりも狭く設定することができるので、番組を記録する部分の記録密度を高く設定することが可能である。
【００７９】
また、本実施形態では、磁気ディスク４０の連続記録領域６０Ｂに記録された番組データを再度連続的に書き換える場合には、書き換えるデータに対応する管理情報（テーブル）も更新されてランダム記録領域６０Ａに書き込まれる。このように、番組の書き換えごとに管理情報が更新されるので、書き換えによって番組の読み出しができなくなるおそれもない。
【００８０】
また、本実施形態では、図２及び図５から分かるように、多重化されるtitle数が変化するタイミングで、管理情報（テーブル）が更新されるので、更新を必要以上に頻繁に行うことがない。これにより、管理情報の管理負担を低減することが可能である。
【００８１】
なお、上記実施形態では、磁気ディスク４０の連続記録領域６０Ｂを、単発記録領域（すなわち、一度データを書き込んだ後は読み出しのためにだけ用いるリードオンリー領域）としても良い。
【００８２】
また、上記実施形態では、ハードディスクレコーダ１００に２つのチューナ１０Ａ，１０Ｂを設ける場合について説明したが、これに限らず、ハードディスクレコーダ１００に３つ以上のチューナを設けることとしても良い。このような場合であっても、上記実施形態と同様の手法により、３以上の番組を多重記録することが可能である。
【００８３】
なお、上記実施形態では、本発明の記録装置をハードディスクレコーダに採用した場合について説明したが、これに限られるものではなく、ハードディスクドライブに採用することとしても良い。この場合、例えば、複数のアプリケーションを同時に動作させた場合における情報記録に、本発明の記録方式を採用することが可能である。
【００８４】
また、上記実施形態では、ランダム記録領域６０Ａを磁気ディスク４０の外周部、連続記録領域６０Ｂを磁気ディスク４０の内周部に設けた場合について説明したが、これに限られるものではなく、各領域は、磁気ディスク４０の任意の位置に設けることが可能である。
【００８５】
上述した実施形態は本発明の好適な実施の例である。但し、これに限定されるものではなく、本発明の要旨を逸脱しない範囲内において種々変形実施可能である。
【図面の簡単な説明】
【００８６】
【図１】一実施形態に係るハードディスクレコーダの構成を示すブロック図である。
【図２】一実施形態における磁気ディスクの記録領域、及び番組の記録タイミングの一例を示す図である。
【図３】番組の多重記録について示す図である。
【図４】ＬＢＡと記録されたtitle名との関係を示す図である。
【図５】管理情報（テーブル）について示す図である。
【図６】番組の多重記録処理及び管理情報（テーブル）の書き込み処理について示すフローチャートである。
【図７】多重記録された番組データの読み出し（再生）処理について示すフローチャートである。
【図８】従来における磁気ディスクの記録領域、及び番組の記録タイミングの一例を示す図である。
【符号の説明】
【００８７】
３０  ハードディスク記録再生制御部（信号処理基板）
３６  記録再生素子
４０  磁気ディスク（記憶媒体）
６０Ａ  ランダム記録領域
６０Ｂ  連続記録領域
１００  ハードディスクレコーダ（記憶装置）
【図１】
2010049732.tif 000003
【図２】
2010049732.tif 000004
【図３】
2010049732.tif 000005
【図４】
2010049732.tif 000006
【図５】
2010049732.tif 000007
【図６】
2010049732.tif 000008
【図７】
2010049732.tif 000009
【図８】
2010049732.tif 000010